(57)【要約】【課題】  カードの貼着される貼着部を有する送付体において、カードへの貼着作業を煩雑にせずに貼着部をカードに貼着する。【解決手段】  折り線１１を介して連接した２つのはがき片１０ａ，１０ｂが剥離可能に圧着されてなる圧着はがきであって、２つのはがき片１０ａ，１０ｂのうち一方のはがき片１０ａは、他方のはがき片１０ｂに対向する面にバーコード情報４２が印刷されるとともに他の領域から切り離し可能に構成されたカード表紙部４０を有し、はがき片１０ｂに対向しない面の少なくともカード表紙部４０に粘着剤３０が塗布され、粘着剤３０を介して剥離紙２０が貼付されている。【選択図】図１
2006001081.tif 000002
【特許請求の範囲】
【請求項１】
折り線を介して連接した複数の紙葉片が剥離可能に貼着されてなる送付体であって、
前記複数の紙葉片のうち一端部となる紙葉片は、該紙葉片に隣接した紙葉片に対向する面に情報が印刷されるとともに他の領域から切り離し可能に構成された貼着部を有し、前記隣接した紙葉片に対向しない面の少なくとも前記貼着部に粘着剤が塗布され、前記粘着剤を介して剥離紙が貼着されている送付体。
【請求項２】
請求項１に記載の送付体において、
前記一端部となる紙葉片は、前記隣接した紙葉片に対向しない面のうち、前記貼着部の外周の一部に形成された非接着領域を除いた全面に粘着剤が塗布されるとともに、前記非接着領域の一部を通って第１の切り離し線が形成され、前記粘着剤が塗布された面の全面に、前記第１の切り離し線に対向する領域に第２の切り離し線を有する剥離紙が貼着されていることを特徴とする送付体。
【請求項３】
請求項２に記載の送付体において、
前記非接着領域は、前記貼着部の３辺に沿って外側に所定幅を有して形成されていることを特徴とする送付体。
【発明の詳細な説明】
【技術分野】
【０００１】
本発明は、折り線を介して連接した２つの紙葉片が剥離可能に貼着されてなる送付体に関する。
【背景技術】
【０００２】
近年、イベント等における来場者管理に、非接触状態にて情報の書き込み及び読み出しが可能な非接触型ＩＣカードが利用されている。この非接触型ＩＣカードは、カード基材に導電性のアンテナとこのアンテナに接続されたＩＣチップとが内蔵されており、情報書込／読出装置に近接させると、情報書込／読出装置からの電磁誘導によってアンテナに電流が流れ、この電流がＩＣチップに供給されてＩＣチップに対する情報の書き込みや読み出しが行われる。
【０００３】
このような非接触型ＩＣカードをイベント等における来場者管理に用いる場合は、まず、来場者の氏名や顔写真等の情報をカード基材表面に印刷するとともに、来場者に関する情報をＩＣチップに書き込み、来場者に郵送等の方法によって送付しておく。そして、来場者がイベント等の会場に来場した際、受付にてこの非接触型ＩＣカードを提示し、ＩＣチップに書き込まれた情報を読み取ることにより来場者がイベント等の会場に来場したことを受け付ける。また、その後、会場内に設けられた複数のブースのそれぞれにおいて、非接触型ＩＣカードのＩＣチップに書き込まれた情報を読み出すことにより各ブースへの来場者の入退室状況を認識することもできる。また、非接触型ＩＣカードのＩＣチップに、ブースを識別可能な情報を書き込み、その後、ＩＣチップに書き込まれた情報を読み出すことによっても、各ブースへの来場者の入退室状況を認識することができる。
【０００４】
このように、非接触型ＩＣカードを用いた来場者管理においては、イベント等の会場の受付等に情報書込／読出装置を設置しておくだけで、来場者の受付を行ったり、会場内における来場者の行動を記録したりすることができる。
【０００５】
ところが、上述したような非接触型ＩＣカードは、来場者に関する情報が紙に印刷されただけの招待状や来場者証と比べて高価なものであるため、非接触型ＩＣカードを用いて来場者管理を行う場合、多くのコストがかかってしまう。
【０００６】
ここで、近年、シールを提供可能に構成された圧着はがきが考えられている。この圧着はがきは、折り線を介して連接した２つのはがき片の一方に、剥離可能及び再粘着可能にラベル片が貼着され、このラベル片が外側となるように２つのはがき片が折り線を介して折り畳まれ、その状態で２つのはがき片が剥離可能に圧着されて構成されている。ラベル片には、ハーフカットで分離形成されたリピートシール部が設けられており、リピートシール部をラベル片から分離して所望の場所に貼着することができる（例えば、特許文献１参照。）。
【０００７】
この圧着はがきのリピートシール部となる部分に来場者の氏名や顔写真等の情報を印刷し、この圧着はがきを来場者に送付しておき、来場者がこの圧着はがきを持参してイベント等の会場に来場した際に、受付にてこの圧着はがきからリピートシール部を分離して非接触型ＩＣカードに貼着するとともに、リピートシール部に予め印刷されたバーコード等のコードデータを読み取り、このコードデータに予め対応づけて管理されている来場者に関する情報を非接触型ＩＣカードのＩＣチップに書き込めば、上述したものと同様にして非接触型ＩＣカードを用いた来場者管理を行うことができる。この場合、来場者がイベント等の会場から退場する際に、非接触型ＩＣカードを回収し、非接触型ＩＣカードからリピートシール部を剥離するとともに、非接触型ＩＣカードのＩＣチップに書き込まれた情報を消去すれば、非接触型ＩＣカードの再利用が可能となり、それにより、多くのコストをかけることなく非接触型ＩＣカードを用いて来場者管理を行うことができるようになる。
【特許文献１】特開２００４−１５４９４０号公報
【発明の開示】
【発明が解決しようとする課題】
【０００８】
上述したような圧着はがきを利用して非接触型ＩＣカードを用いた来場者管理を行う場合、イベント等の会場の受付において、来場者が持参した圧着はがきからリピートシール部を分離し、分離したリピートシール部を非接触型ＩＣカードに貼着することになるが、リピートシール部と非接触型ＩＣカードの大きさがほぼ同一の場合、その位置合わせが困難となり、それにより、特に、来場者数が多い場合、受付作業が煩雑となってしまうというという問題点がある。
【０００９】
本発明は、上述したような従来の技術が有する問題点に鑑みてなされたものであって、カードの貼着される貼着部を有する送付体において、カードへの貼着作業を煩雑にせずに貼着部をカードに貼着することができる送付体を提供することを目的とする。
【課題を解決するための手段】
【００１０】
上記目的を達成するために本発明は、
折り線を介して連接した複数の紙葉片が剥離可能に貼着されてなる送付体であって、
前記複数の紙葉片のうち一端部となる紙葉片は、該紙葉片に隣接した紙葉片に対向する面に情報が印刷されるとともに他の領域から切り離し可能に構成された貼着部を有し、前記隣接した紙葉片に対向しない面の少なくとも前記貼着部に粘着剤が塗布され、前記粘着剤を介して剥離紙が貼着されている。
【００１１】
また、前記一端部となる紙葉片は、前記隣接した紙葉片に対向しない面のうち、前記貼着部の外周の一部に形成された非接着領域を除いた全面に粘着剤が塗布されるとともに、前記非接着領域の一部を通って第１の切り離し線が形成され、前記粘着剤が塗布された面の全面に、前記第１の切り離し線に対向する領域に第２の切り離し線を有する剥離紙が貼着されていることを特徴とする。
【００１２】
また、前記非接着領域は、前記貼着部の３辺に沿って外側に所定幅を有して形成されていることを特徴とする。
【００１３】
上記のように構成された本発明においては、折り線を介して連接した複数の紙葉片のうち一端部となる紙葉片に設けられた貼着部をカードに貼着して利用する場合、まず、貼着部の隣接した紙葉片と対向する面に、来場者の氏名や顔写真やコードデータ等の情報を印刷し、複数の紙葉片を貼着した状態でこの送付体を来場者に送付しておく。その後、来場者がこの送付体を受け取り、互いに貼着された複数の紙葉片を剥離してイベント等の会場に持参した際に、まず、剥離された複数の紙葉片のうち一端部となる紙葉片に粘着剤によって貼着された剥離紙を剥離し、この一端部となる紙葉片に設けられた貼着部に非接触型ＩＣカードを粘着剤によって貼着する。次に、非接触型ＩＣカードが貼着された貼着部を一端部となる紙葉片の他の領域から切り離し、貼着部に予め印刷された情報を読み取り、この情報に予め対応づけて管理されている来場者に関する情報を非接触型ＩＣカードのＩＣチップに書き込む。これにより、来場者に関する情報が表面に表示されるとともにＩＣチップに書き込まれたカードを用いて来場者管理を行うことができる。
【発明の効果】
【００１４】
以上説明したように本発明においては、折り線を介して連接した複数の紙葉片が剥離可能に貼着されてなる送付体であって、複数の紙葉片のうち一端部となる紙葉片が、この紙葉片に隣接した紙葉片に対向する面に情報が印刷されるとともに他の領域から切り離し可能に構成された貼着部を有し、隣接した紙葉片に対向しない面の少なくとも貼着部に粘着剤が塗布され、粘着剤を介して剥離紙が貼着されている構成としたため、貼着部にカードを貼着して利用する場合、送付体にカードを貼着し、その後、カードが貼着された貼着部を送付体から切り離すことになり、それにより、カードへの貼着作業を煩雑にせずに貼着部をカードに貼着することができる。
【００１５】
また、一端部となる紙葉片が、隣接した紙葉片に対向しない面のうち、貼着部の外周の一部に形成された非接着領域を除いた全面に粘着剤が塗布されるとともに、非接着領域の一部を通って第１の切り離し線が形成され、粘着剤が塗布された面の全面に、第１の切り離し線に対向する領域に第２の切り離し線を有する剥離紙が貼着されているものにおいては、送付体の一端部となる紙葉片の一方の面の全面に剥離紙を貼着した場合であっても、その剥離紙のうち、少なくとも貼着部に貼着された剥離紙を容易に剥離することができる。
【発明を実施するための最良の形態】
【００１６】
以下に、本発明の実施の形態について図面を参照して説明する。
【００１７】
図１は、本発明の送付体の実施の一形態となる圧着はがきの一例を示す図であり、（ａ）は積層構造を示す図、（ｂ）は圧着はがきを開いた状態の一方の面を示す図、（ｃ）は圧着はがきを開いた状態の他方の面を示す図、（ｄ）は（ｃ）に示した面から剥離紙２０を剥離した状態を示す図である。
【００１８】
本形態は図１に示すように、折り線１１を介して連接した２つの紙葉片であるはがき片１０ａ，１０ｂが剥離可能に圧着され、はがき片１０ａのはがき片１０ｂと対向しない面に粘着剤３０によって剥離紙２０が剥離可能に貼着されて構成されている。また、２つのはがき片１０ａ，１０ｂのうちはがき片１０ａには、ミシン目１３によって他の領域から切り離し可能に構成された貼着部であるカード表紙部４０が設けられており、このカード表紙部４０のはがき片１０ｂと対向する面には、この圧着はがきの送付先の氏名や顔写真等からなる来場者情報４１と、コードデータであるバーコード情報４２とが印刷されている。また、２つのはがき片１０ａ，１０ｂのうちはがき片１０ｂには、はがき片１０ａと対向しない面に、この圧着はがきの送付先の住所や氏名からなる宛先情報１５が印刷され、また、はがき片１０ａと対向する面に、この圧着はがきの送付先に通知する通知情報１２が印刷されている。また、はがき片１０ａの折り線１１とは反対側の辺の近傍にはその辺に沿って第１の切り離し線であるミシン目１４ａが形成され、また、はがき片１０ｂの折り線１１とは反対側の辺の近傍にはその辺に沿ってミシン目１４ｂが形成されている。また、剥離紙２０においても、このミシン目１４ａ，１４ｂと対向する領域に第２の切り離し線であるミシン目２２が形成されている。また、はがき片１０ａのはがき片１０ｂと対向しない面には粘着剤３０が塗布されているが、粘着剤３０は、はがき片１０ａのはがき片１０ｂと対向しない面のうち、カード表紙部４０の３辺に沿って外側に所定幅を有してなる非接着領域３１を除いた全面に塗布されている。なお、このミシン目１４ａは、この非接着領域３１の一部を通って形成されている。
【００１９】
以下に、上記のように構成された圧着はがきの製造方法について説明する。
【００２０】
図２は、図１に示した圧着はがきの製造方法を説明するための図である。
【００２１】
まず、折り線１１を介して連接した２つのはがき片１０ａ，１０ｂに対して、はがき片１０ａにミシン目１３，１４ａを、また、はがき片１０ｂにミシン目１４ｂをそれぞれ形成する（図２（ａ））。なお、この際、剥離紙２０についても、ミシン目２１，２２を形成しておく。
【００２２】
次に、ミシン目１３，１４ａが形成されたはがき片１０ａのミシン目１３によって囲まれた領域に、来場者の氏名や顔写真等からなる来場者情報４１及びバーコード情報４２を印刷してカード表紙部４０を形成するとともに、ミシン目１４ｂが形成されたはがき片１０ｂのはがき片１０ａと対向する面に通知情報１２を、また、はがき片１０ｂと対向しない面に宛先情報１５をそれぞれ印刷する（図２（ｂ））。なお、来場者情報４１に含まれる来場者の顔写真は印刷することに限らず、カード表紙部４０に顔写真を貼着する領域を設けておき、その後、この圧着はがきを来場者が受け取った後に顔写真を貼着することも考えられる。また、はがき片１０ａに印刷されるバーコード情報４２は、来場者情報４１及び宛先情報１５と対応づけて管理される。
【００２３】
次に、はがき片１０ａとはがき片１０ｂとを、はがき片１０ａの来場者情報４１及びバーコード情報４２が印刷された面と、はがき片１０ｂの通知情報１２が印刷された面とが対向するように折り線１１を介して折り畳み、圧力を加えることによって互いに接着する（図２（ｃ））。これにより、はがき片１０ａに印刷された来場者情報４１及びバーコード情報４２、並びにはがき片１０ｂに印刷された通知情報１２が外部から視認不可能な状態となる。なお、この際、はがき片１０ａに形成されたミシン目１４ａとはがき片１０ｂに形成されたミシン目１４ｂとは互いに対向するようになる。
【００２４】
次に、はがき片１０ａのうち、はがき片１０ｂに対向せずに表出した面のうち、カード表紙部４０の３辺に沿って外側に所定幅を有してなる非接着領域３１以外の領域に粘着剤３０を塗布する（図２（ｄ））。これにより、はがき片１０ａに形成されたミシン目１４ａが、非接着領域３１の一部を通るようになる。
【００２５】
その後、はがき片１０ａの粘着剤３０が塗布された面に、剥離紙２０を貼着する（図２（ｅ））。この際、剥離紙２０に形成されたミシン目２２は、はがき片１０ａに形成されたミシン目１４ａと対向するようになる。
【００２６】
以下に、上述した圧着はがきを、非接触型ＩＣカードを用いた来場者管理に利用する場合の利用方法について説明する。
【００２７】
図３は、図１に示した圧着はがきを、非接触型ＩＣカードを用いた来場者管理に利用する場合の利用方法を説明するための図である。
【００２８】
まず、上記のように製造された圧着はがきを来場者に送付しておく。上述したように、非接触型ＩＣカードに貼着されるカード表紙部４０は、圧着はがきの一部に形成されており、カード表紙部４０に印刷される来場者情報４１及びバーコード情報４２と圧着はがきのはがき片１０ｂに印刷される宛先情報１５とが同一のジョブで印刷されるため、カード表紙部４０と宛先情報１５とのマッチングが正しく行われる。また、その際、上述したように、はがき片１０ａに印刷されるバーコード情報４２と、はがき片１０ａに印刷される来場者情報４１及びはがき片１０ｂに印刷される宛先情報１５とを対応づけて管理しておく。
【００２９】
この圧着はがきを来場者が受け取り、圧着された２つのはがき片１０ａ，１０ｂを剥離すると、はがき片１０ｂに印刷された通知情報１４ｂが視認可能な状態となる（図３（ａ））。この通知情報１４ｂはイベント等の開催日時や会場等の案内情報を含んでおり、来場者は、この案内情報に従って、この圧着はがきを持参してイベント等の会場に来場することになる。また、２つのはがき片１０ａ，１０ｂが剥離される際、はがき片１０ａ，１０ｂ及び剥離紙２０に形成されたミシン目１４ａ，１４ｂ，２２が切断され、それにより、はがき片１０ａ，１０ｂ及び剥離紙２０のうち、ミシン目１４ａ，１４ｂ，２２を介して端部となる領域が切り取られる。すると、はがき片１０ａにおいては、剥離紙２０との貼着面の端部の一部が非接着領域３１によって貼着されていない状態となる。
【００３０】
その後、来場者がイベント等の会場に来場した際に、イベント等の受付において、まず、粘着剤３０によってはがき片１０ａに貼着された剥離紙２０を剥離する。なお、この際、はがき片１０ａの端部の一部が、非接着領域３１によって剥離紙２０に貼着されていない状態となっているため、この領域に指等を挿入して剥離紙２０をはがき片１０ａから剥離していくと、剥離紙２０に形成されたミシン目２１が切断されていき、剥離紙２０のうち、カード表紙部４０に対向する領域に貼着された剥離紙２０が剥離していく（図３（ｂ））。また、これにより、はがき片１０ａのカード表紙部４０に塗布された粘着剤３０が表出する。
【００３１】
はがき片１０ａのカード表紙部４０に対向する領域の剥離紙２０を剥離した後、表出した粘着剤３０によって非接触型ＩＣカード５０をカード表紙部４０に貼着する（図３（ｃ））。ここで、カード表紙部４０に貼着される非接触型ＩＣカード５０は、カード基材に導電性のアンテナ５２とこのアンテナ５２に接続されたＩＣチップ５１とが内蔵されており、情報書込／読出装置に近接させると、情報書込／読出装置からの電磁誘導によってアンテナに電流が流れ、この電流がＩＣチップに供給されてＩＣチップに対する情報の書き込みや読み出しが行われるものである。
【００３２】
次に、非接触型ＩＣカード５０が貼着されたカード表紙部４０をミシン目１３によってはがき片１０ａの他の領域から切り離し（図３（ｄ））、非接触型ＩＣカード５０の表面にカード表紙部４０が粘着剤３０によって貼着されたカードを作製する（図３（ｅ））。
【００３３】
その後、カード表紙部４０に印刷されたバーコード情報４２を読み取り、このバーコード情報４２に予め対応づけて管理されている来場者に関する情報を非接触型ＩＣカード５０のＩＣチップ５１に書き込む。これにより、来場者に関する情報が表面に表示されるとともにＩＣチップ５１に書き込まれたカードを用いて来場者管理を行うことになる。
【００３４】
例えば、会場内に設けられた複数のブースのそれぞれにおいて、非接触型ＩＣカード５０のＩＣチップ５１に書き込まれた情報を読み出すことにより、各ブースにどのような来場者がいつ入室していつ退室したか等を管理することもできる。また、非接触型ＩＣカード５０のＩＣチップ５１に、ブースを識別可能な情報を書き込み、その後、ＩＣチップ５１に書き込まれた情報を読み出すことによっても、来場者がどのブースにいつ入室していつ退室したかを認識することができる。
【００３５】
このようにカード表紙部４０が貼着されて利用された非接触型ＩＣカード５０は、来場者がイベント等の会場から退場する際に回収し、非接触型ＩＣカード５０から表紙部４０を剥離し、その後、非接触型ＩＣカード５０のＩＣチップ５１に書き込まれた情報を消去すれば、非接触型ＩＣカード５０の再利用が可能となる。
【００３６】
なお、本形態においては、はがき片１０ａのはがき片１０ｂと対向しない面のうち、カード表紙部４０の３辺に沿って外側に所定幅を有してなる非接着領域３１を除いた全面に粘着剤３０が塗布されているが、粘着剤３０は、少なくともカード表紙部４０に塗布されていればよい。また、その場合、剥離紙２０は、粘着剤３０が塗布された領域のみを覆うような大きさであればよい。
【００３７】
また、本形態においては、はがき片１０ａのはがき片１０ｂと対向する面のうち、カード表紙部４０の３辺に沿って外側に所定幅を有して非接着領域３１が形成されているが、非接着領域３１は、ミシン目１４ａがその一部を通るように形成されていれば、カード表紙部４０の外周の一部に形成されていればよい。
【００３８】
また、本形態においては、２つのはがき片１０ａ，１０ｂが折り部１１を介して連接してなる圧着はがきを例に挙げて説明したが、本発明はこれに限らず、複数の紙葉片がそれぞれ折り部を介して連接し、Ｚ折りやＷ折り等に折り畳まれて互いに貼着される送付体であっても、複数の紙葉片のうち一端部となる紙葉片が本形態におけるはがき片１０ａのような構造であり、かつ、その紙葉片の隣接する紙葉片と対向しない面に粘着剤を介して剥離紙が貼着されているものであれば、適用することができる。
【００３９】
また、本形態においては、非接触型ＩＣカード５０のＩＣチップ５１に来場者に関する情報を書き込んでいるが、ＩＣチップ５１にはバーコード情報４２と対応づけた識別情報のみを書き込んでおき、この識別情報と来場者に関する情報とを対応づけて管理しておくことにより、来場者を管理することも考えられる。
【００４０】
また、本形態においては、圧着はがきをイベント等における来場者管理に用いる場合を例に挙げて説明したが、その他に、入学試験や資格試験等において、受験者に上述したような圧着はがきを送付し、試験会場において、圧着はがきのカード表紙部４０を非接触型ＩＣカード５０に貼着して受験者の管理に用いることも考えられる。
【図面の簡単な説明】
【００４１】
【図１】本発明の送付体の実施の一形態となる圧着はがきの一例を示す図であり、（ａ）は積層構造を示す図、（ｂ）は圧着はがきを開いた状態の一方の面を示す図、（ｃ）は圧着はがきを開いた状態の他方の面を示す図、（ｄ）は（ｃ）に示した面から剥離紙を剥離した状態を示す図である。
【図２】図１に示した圧着はがきの製造方法を説明するための図である。
【図３】図１に示した圧着はがきを、非接触型ＩＣカードを用いた来場者管理に利用する場合の利用方法を説明するための図である。
【符号の説明】
【００４２】
１０ａ，１０ｂ    はがき片
１１    折り線
１２    通知情報
１３，１４ａ，１４ｂ，２１，２２    ミシン目
１５    宛先情報
２０    剥離紙
３０    粘着剤
３１    非接着領域
４０    カード表紙部
４１    来場者情報
４２    バーコード情報
５０    非接触型ＩＣカード
５１    ＩＣチップ
５２    アンテナ
【図１】
2006001081.tif 000003
【図２】
2006001081.tif 000004
【図３】
2006001081.tif 000005